【事件の表示】
　特許第２８２９２７５号「歯ブラシ」の請求項１ないし６に係る特許に対する特許異議の申立てについて、次のとおり決定する。
【結論】
　訂正を認める。
　特許第２８２９２７５号の請求項１ないし４に係る特許を維持する。
【理由】
（１）手続きの経緯
　本件特許第２８２９２７５号は、平成８年５月２０日の出願であって平成１０年９月１８日に設定登録がなされ、その後特許異議の申立てがなされ、取消理由が通知され、指定期間内に訂正請求がなされたものである。
（２）訂正の適否についての判断
ア）本件訂正請求
　平成１１年１０月２５日付訂正請求の要旨は、特許明細書を添付した訂正明細書のとおりに訂正しようとするものであり、特許請求の範囲請求項１乃至請求項４を次のように訂正しようとし、請求項５，請求項６を削除し、発明の詳細な説明の記載を併せて訂正しようとするものである。
　【請求項１】複数本のブリッスルからなるブリッスル束１が、植毛部２に縦横に形成された複数個の植毛穴２１，２１・・にそれぞれ植毛されてなる歯ブラシにおいて、
　上記ブリッスル束１は、下記数式（１）において階乗係数ｎが０．３３〜０．４０のテーパーブリッスルである第１ブリッスル１１と、先端が該第１ブリッスル１１の先端よりも下方に位置している第２ブリッスル１２とを含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、
　上記第１ブリッスル１１の先端は尖鋭に形成されており、上記第２ブリッスル１２の先端部に球状部１２ａが形成されており、
　上記植毛穴２１，２１・・の縦方向の間隔Ｐ１が１．２ｍｍ〜３．０ｍｍ、横方向の間隔Ｐ２が０．７５ｍｍ〜１．５ｍｍであることを特徴とする歯ブラシ。
　ｒ（ｘ）＝ａ｛（Ｌ一ｘ）／Ｌ｝ｎ　（Ｉ）
　ｒ（ｘ）：断面半径
　　　　ｘ：ブリッスル根本からの長さ
　　　　Ｌ：ブリッスル根本から先端までの長さ
　　　　ａ：ｘ＝０のときの断面半径〔＝ｒ（０）〕
　　　　ｎ：階乗係数
　【請求項２】上記第１ブリッスル１１の先端と上記第２ブリッスル１２の先端との段差ｄが、０．５ｍｍ〜４．０ｍｍである、請求項１に記載の歯ブラシ。
　【請求項３】上記第１ブリッスル１１及び上記第２ブリッスル１２の根本の外径が０１５〜０．３０ｍｍであり、上記植毛穴２１の内径が、１．２ｍｍ〜２．４ｍｍである、請求項１又は２に記載の歯ブラシ。
　【請求項４】上記第２ブリッスル１２が先端に向けてテーパー状に形成されている、請求項１〜３の何れかに記載の歯ブラシ。
イ）ｉ）この訂正の、請求項１の訂正は特許請求の範囲の減縮に該当するものであり、請求項２乃至４の訂正は請求項１を訂正したことによる引用請求項を訂正したものであり、特許請求の範囲の減縮に該当するものである。
ｉｉ）発明の詳細な説明の訂正は特許請求の範囲を訂正したことにより併せて訂正するものであり、明瞭でない記載の釈明に該当するものである。
ウ）この訂正は、願書に添付した明細書又は図面に記載されていた事項の範囲内のものであり、実質上特許請求の範囲を拡張または変更するものではない。
エ）独立特許の要件
（ｉ）取消理由１は、各請求項に係る発明が
刊行物１　　特開平７−２８４４１２号公報
刊行物２　　実公昭６１−１０４９５号公報
刊行物３　　実願平２−８５６１５号（実開平４−４３１２９号）のマイクロフィルム
刊行物４　　実公昭６３−３１６４０号公報
刊行物５　　特開平６−１４１９２３号公報
刊行物６　　特表平５−５０８５６６号公報
に記載された事項から容易に発明をすることができたものであるというものである。
この点を検討すると、
ｉｉ）刊行物記載事項
　刊行物１には、「【請求項１】ブラシヘッドの植毛孔にフィラメントの毛束をＵ型に折り曲げて植設してなる歯ブラシにおいて、上記フィラメントは両先端の形状がそれぞれ異なることを特徴とした歯ブラシ。【請求項２】フィラメントは、一端を球状、もう一端をテーパ状に形成してなる請求項１記載の歯ブラシ。【請求項３】フィラメントの一端をもう一方の先端より突出して植設してなる請求項１記載の歯ブラシ」（１欄２行〜９行）と記載されていて、図２に、複数の毛束がテーパ状先端を突出させて球状先端とにずれａをつけて、縦横に形成された複数個の植毛孔に植毛されている点が図示されている。
　刊行物２には、「熱可塑性ポリエステル製モノフィラメントからなる先鋭刷毛１と先鋭部を有しない刷毛２と交互に植毛してなり、先鋭刷毛１の先鋭部が刷毛２の毛端より突出する様に構成したことを特徴とする歯ブラシ」（１欄２行〜６行）、「モノフィラメントの直径も適宜選択し得るが、通常は０，１〜０，２５ｍｍの範囲が適当である」（３欄２３行〜２５行）と記載されている。
　刊行物３には、「（１）先端に球状物を有するブリッスルを、植毛部に設けた歯ブラシにおいて、上記球状物の付け根部分の径を、上記ブリッスルの他の部分の径よりも細く形成したことを特徴とする歯ブラシ。（２）上記ブリッスルを、上記付け根部分に向けて順次細くするか、或いは段階的に細くすることにより、上記付け根部分の径を、上記ブリッスルの他の部分の径よりも細く形成したことを特徴とする請求項（１）記載の歯ブラシ。
（３）上記付け根部分の径ｄと、上記ブリッスルの他の部分の径ａとの比ｄ／ａを０，２〜０，９の範囲内に設定したことを特徴とする請求項（１）又は（２）記載の歯ブラシ」（１頁５行〜１７行）、「歯ブラシは、把持部１と、長さの異なる２種又は３種以上のブリッスル３を有した植毛部とを一体に設け」（５頁９行〜１１行）、「根元部分３ｃの径ａを０，１５ｍｍ〜０，４ｍｍの範囲に設定し、またブリッスル３の全長ｂを６，０ｍｍ〜１５，０ｍｍの範囲に設定し、また球状物３ａと先端部分３ｄの合計の長さｃを０，２ｍｍ〜４，５ｍｍの範囲に設定し、また付け根部分３ｂの径ｄを０，０５ｍｍ〜０，３０ｍｍの範囲に設定し、また球状物３ａの径ｅを０，０７ｍｍ〜０，３２ｍｍの範囲に設定することが好ましい。また、付け根部分３ｂの径ｄと根元部分３ｃの径ａとの比ｄ／ａを、０，２〜０，９の範囲に設定することが好ましく、この０，２〜０，９の範囲内でも０，４〜０，８の範囲内に設定することが更に好ましい」（６頁５行〜１７行）と記載されており、第７図〜第１１図に本件図５と同じ図が示されており、第３図〜第６図に先端にテーパがついたブリッスルが図示されており、この図は本件図６に示されているものと同じである。
　刊行物４には、「ブリッスルの長さの最長と最短の差が１〜４ｍｍであり」（１欄２行〜３行）、「ブリッスルの先端部でない部分の直径が８／１０００〜１５／１０００インチであり、ブリッスルの先端部の球状物の最大径が、先端部でない部分の直径の１，１〜２，５倍であることを特徴とする歯刷子」（１欄８行〜１２行）、「また、隣接するブリッスル同士の毛丈についてみると、任意の一本のブリッスルに隣接する複数本のブリッスルの５０％以上は、当該ブリッスルの毛丈と異なる様にする方がよい」（３欄２３行〜２６行）「孔４の直径は１，６ｍｍでそれぞれに４０本のブリッスルが植えられた」（６欄５行〜６行）と記載されていて、第２図に、歯ブラシの縦方向の孔間隔が３，０ｍｍで横方向の孔間隔が２，４ｍｍであることが図示されている。
　刊行物５には、「植毛部として合成モノフィラメントのテーパー先端部から１ｍｍ，３ｍｍ，５ｍｍ，８ｍｍの各部位における刷毛径が、基部の刷毛径に対し、２５〜３５％、５５〜７０％、８０〜９０％，９０〜１００％で、それぞれ特定されるテーパー形状の合成モノフィラメントを植毛して植毛部が形成されていることで、歯間部や歯と歯茎の境い目の清掃力に優れたソフトな感触が得られ使用感の良い歯刷子とすることができる」（１頁左欄６行〜末行）、「図１のように両端には長さ８〜１５ｍｍ好ましくは８〜１０ｍｍにわたる先鋭テーパー部２が形成され、中央の基部の最大径は０，１５〜０，２５好ましくは０，１７〜０，２０ｍｍ（表１ｃ）として用い」（２頁右欄下６行〜下１行）、「この植毛穴６は穴径１，５〜２，２ｍｍ好ましくは１，５〜１，９ｍｍとして複数列例えば２〜４列並設され、植毛穴の柄部方向間隔ａは１，０〜１，４ｍｍ程度とし」（３頁左欄２行〜５行）と記載されている。
　刊行物６には、「請求範囲１に記載の歯ブラシにおいて、毛ふさのブラシ長さ方向の間隔は、約０，０２インチから約０，０８インチである」（１頁右欄１７行〜１９行）、「請求の範囲１に記載の歯ブラシにおいて、毛ふさのブラシはば方向の間隔は、約０インチから約０，０８インチである」（１頁右欄下２行〜２頁左上欄１行）と記載されている。
ｉｉｉ）請求項１に係る発明と刊行物１乃至刊行物６記載の事項とを対比すると、
「ブリッスル束１は、下記数式（１）において階乗係数ｎが０．３３〜０．４０のテーパーブリッスルである第１ブリッスル１１と、先端が該第１ブリッスル１１の先端よりも下方に位置している第２ブリッスル１２とを含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、
　上記第１ブリッスル１１の先端は尖鋭に形成されており、上記第２ブリッスル１２の先端部に球状部１２が形成されてあることを特徴とする歯ブラシ。
　ｒ（ｘ）＝ａ｛（Ｌ一ｘ）／Ｌ｝ｎ　　（Ｉ）
　ｒ（ｘ）：断面半径
　　　　ｘ：ブリッスル根本からの長さ
　　　　Ｌ：ブリッスル根本から先端までの長さ
　　　　ａ：ｘ＝０のときの断面半径〔＝ｒ（０）〕
　　　　ｎ：階乗係数」
である点は記載も図示もされていないしこの点を示唆する記載もない。。
　そして請求項１係る発明は、この点において明細書に記載された効果を奏するものである。
　請求項２乃至請求項４に係る発明は、請求項１を引用するものであるから、これらの発明も上記各刊行物から容易に発明をすることができたものとは言えない。
　ｉｖ）取消理由２は「本件明細書は、明細書の記載が不備であるため、本件特許は、特許法第３６条第４項、第５項及び第６項の規定に違反してなされたものである。」というものである。ｖ）しかしながら、特許請求の範囲が前記のように訂正され、発明の詳細な説明が訂正されると、この取消理由は意味のないものとなる。
ｖｉ）したがって、本件請求項１乃至請求項４に係る発明は、独立して特許を受けることができるものである。
（オ）以上のとおりであるから、この訂正請求は、特許法１２０条の４第２項及び第３項で準用する同法第１２６条第２項〜第４項の規定に適合するので、当該訂正を認める。
（３）特許異議の申立てについて
（ア）本件請求項１乃至請求項４に係る発明は、上記のものである。
（イ）特許異議申立人佐藤真理は、
甲第１号証として、実開平７−２８４４１２号公報（刊行物１）
甲第２号証として、実公昭６１−１０４９５号公報（刊行物２）
甲第３号証として実公昭６３−３１６４０号公報（刊行物３）
甲第４号証として、実開平小４３１２９号公報（刊行物４の公開公報）
を提示して、本件請求項に係る各発明がこれらの刊行物から容易に発明をすることができた旨主張している。
（ウ）各甲号証の記載内容
　甲第１号証乃至甲第４号証には、前記した点が記載されている。
（エ）しかしながら、前記したように特許請求の範囲が訂正されたので、前記したようにこれらの刊行物記載事項から、容易に発明をすることができるとは言えなくなった。
（オ）異議申立人ライオン株式会社は、
甲第１号証として、特開平７−２８４４１２号公報（刊行物１）
甲第２号証として、特開平６−１４１９２３号公報（刊行物５）
甲第３号証として、実願昭５５−１４３５３４号（実開昭５７−６５６３２号）のマイクロフィルム（刊行物６）を提示して本件請求項に係る各発明がこれらの刊行物から容易に発明をすることができた旨主張している。
（カ）しかしながら、前記したように特許請求の範囲が訂正されたので、前記したようにこれらの刊行物記載事項から容易に発明をすることができたものとは言えなくなった。
（キ）したがって、各特許異議申立人の主張は採用できない。
　また、他に前記各請求項に係る特許を取り消すべき理由を発見しない。
　よって、結論のとおり決定する。
【異議決定日】
平成１１年１２月２０日（１９９９．１２．２０）
【訂正の要旨】
　本件訂正請求の要旨は、特許２８２９２７５号の明細書を、本件訂正請求書に添付した訂正明細書のとおりに訂正しようとするもので、その訂正の内容は下記（１）〜（１９）のとおりである。
（１）明細書特許請求の範囲を
「【請求項１】複数本のブリッスルからなるブリッスル束１が、植毛部２に縦横に形成された複数個の植毛穴２１，２１・・にそれぞれ植毛されてなる歯ブラシにおいて、
　上記ブリッスル束１は、下記数式（Ｉ）において階乗係数ｎが０．３３〜０．４０のテーパーブリッスルてある第１ブリッスル１１と、先端が該第１ブリッスルｌｌの先端よりも下方に位置している第２ブリッスル１２とを含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、
　上記第１ブリッスル１１の先端は尖鋭に形成されており、上記第２ブリッスル１２の先端部に球状部１２ａが形成されており、
　上記植毛穴２１，２１・・の縦方向の間隔Ｐ１が１．２ｍｍ〜３．０ｍｍ、横方向の間隔Ｐ２が０．７５ｍｍ〜１．５ｍｍであることを特徴とする歯ブラシ。
　ｒ（ｘ）＝ａ｛（Ｌ一ｘ）／Ｌ｝ｎ　（Ｉ）
　ｒ（ｘ）：断面半径
　　　　ｘ：ブリッスル根本からの長さ
　　　　Ｌ：ブリッスル根本から先端までの長さ
　　　　ａ：ｘ＝０のときの断面半径〔＝ｒ（０）〕
　　　　ｎ：階乗係数
　【請求項２】上記第１ブリッスル１１の先端と上記第２ブリッスル１２の先端との段差ｄが、０．５ｍｍ〜４．０ｍｍである、請求項１に記載の歯ブラシ。
　【請求項３】上記第１ブリッスル１１及び上記第２ブリッスル１２の根本の外径が０．１５〜０．３０ｍｍであり、上記植毛穴２１の内径が、１．２ｍｍ〜２．４ｍｍである、請求項１又は２に記載の歯ブラシ。
　【請求項４】上記第２ブリッスル１２が先端に向けてテーパー状に形成されている、請求項１〜３の何れかに記載の歯ブラシ。」と訂正する。
（２）明細書の段落〔０００８〕の４行〜６行「ブリッスル本数の５０％以上が・・・・第２ブリッスル１２とからなり、」を、「下記数式（Ｉ）において階乗係数ｎが０．３３〜０．４０のテーパーブリッスルてある第１ブリッスル１１と、先端が該第１ブリッスル１１の先端よりも下方に位置している第２ブリッスル１２とを含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、該第１ブリッスル１１の先端は尖鋭に形成されており、該第２ブリッスル１２の先端部に球状部１２ａが形成されており、」と訂正する。
（３）明細書の段落〔０００９〕を削除し、明細書の段落〔００１０〕を、明細書の段落〔０００９〕とし、その１行「請求項３に記載の発明は、請求項１又は２に記載の発明において、」を「請求項２に記載の発明は、請求項１に記載の発明において、」と訂正する。
（４）明細書の段落〔００１１〕を、明細書の段落〔００１０〕とし、その１行「請求項４に記載の発明は、請求項１〜３の何れかに記載の発明において、」を、「請求項３に記載の発明は、請求項１又は２に記載の発明において、」と訂正する。
（５）明細書の段落〔００１２〕を削除し、明細書の段落〔００１３〕を、明細書の段落〔００１１〕とし、その１行「請求項６に記載の発明は、請求項５の何れかに記載の発明において、」を「請求項４に記載の発明は、請求項１〜３の何れかに記載の発明において、」と訂正する。
（６）明細書の段落〔００１４〕の記載を、明細書の段落〔００１２〕、〔００１３〕及び〔００１４〕に３分割した。
（７）明細書の段落〔００１６〕の２行「ブリッスル本数の５０％以上が」を削除し、４行〜５行「第２ブリッスル１２とからなり、」を「第２ブリッスル１２とを含み、該第１ブリッスル１１と該第２ブリッスル１２との合計本数は、上記ブリッスル束１を構成する上記ブリッスルの全体本数の５０％以上であり、上記ブリッスル束１それぞれが、上記第」ブリッスル１１を１０〜９０％含み且つ上記第２ブリッスル１２を９０〜１０％含んでおり、上記ブリッスル束それぞれが、上記第１ブリッスル１１を１０〜９０％含み且つ上記第２ブリッスル１２を９０〜１０％含んでおり、該第１ブリッスルｌｌの先端は尖鋭に形成されており、該第２ブリッスル１２の先端部に球状部１２ａが形成されており、」と訂正する。
（８）明細書の段落〔００２３〕の７行「９０〜１０％含むのが好ましく、」を「９０〜１０％含んでおり、」と訂正し、８行の「更に」を削除する。
（９）明細書の段落〔００２４〕の５行〜６行「が、図３（ｃ）や・・・・形成させても良い」を削除する。
（１０）明細書の段落〔００２５〕の４行〜９行「上記第１ブリッスル１１の・・・・即ち本実施形態に近くなる。」を削除する。
（１１）明細書の段落〔００２６〕を削除し、明細書の段落〔００２７〕の１行〜３行「上記第２ブリッスル１２は…・・テーパー状に形成されている。」を、明細書の段落〔００２６〕とする。
（１２）明細書の段落〔００２７〕の３行〜８行「テーパー状の・・・・形成されているものを言う。」を、その中の一部「上記第１ブリッスル１１についての説明時と同様に、」を削除して、明細書の段落〔００２７〕とする。
（１３）明細書の段落〔００２９〕の１行〜２行「上記第１ブリッスル１１についての説明時と同様に、」を削除する。
（１４）明細書の段落〔００４２〕の６行「Ｌ」を「Ｌ’」と訂正する。
（１５）明細書の段落〔００４　８〕の４行〜１１行「、図３（ｃ）に示されるような…・・施されているブリッスル」を削除する。
（１６）明細書の〔図面の簡単な説明〕における〔符号の説明〕の「１１ａ球状部」を削除する。
（１７）図面の〔図２〕を別紙添付の通り訂正する。
（１８）図面の〔図３〕を別紙添付の通り訂正する。
（１９）図面の〔図５〕を別紙添付の通り訂正する。
（５４）【発明の名称】
歯ブラシ
（５７）【特許請求の範囲】
　　【請求項１】　複数本のブリッスルからなるブリッスル束１が、植毛部２に縦横に形成された複数個の植毛穴２１，２１・・にそれぞれ植毛されてなる歯ブラシにおいて、
　上記ブリッスル束１は
、下
０．３３
０．４０
を含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、
　
上記第１ブリッスル１１の先端は尖鋭に形成されており、上記第２ブリッスル１２の先端部に球状部１２ａが形成されており、
　上記植毛穴２１，２１・・の縦方向の間隔Ｐ１が１．２ｍｍ〜３．０ｍｍ、横方向の間隔Ｐ２が０．７５ｍｍ〜１．５ｍｍであることを特徴とする歯ブラシ。
　ｒ（ｘ）＝ａ｛（Ｌ−ｘ）／Ｌ｝ｎ　（Ｉ）
　ｒ（ｘ）　：断面半径
　　　　　ｘ：ブリッスル根本からの長さ
　　　　　Ｌ：ブリッスル根本から先端までの長さ
　　　　　ａ：ｘ＝０のときの断面半径〔＝ｒ（０）〕
　　　　　ｎ：階乗係数
　　【請求項
２
１に
　　【請求項
３
又は２
　　【請求項
４
１〜３
【発明の詳細な説明】
　【０００１】
　　【発明の属する技術分野】
　本発明は、歯ブラシ、詳しくは、歯及び歯茎の表面の清掃性、歯と歯の聞及び歯と歯茎の境目の清掃性、歯茎に対するマッサージ性、並びにブリッスルの耐久性の点で優れた歯ブラシに関する。
　【０００２】
　　【従来の技術及び発明が解決しようとする課題】
　通常の歯ブラシは、歯及び歯茎の表面の清掃、歯と歯の間（以下、歯間部と言う）及び歯と歯茎の境目（以下、歯頸部と言う）の清掃・歯垢除去（以下、清掃性と言う）をその主たる目的としている。また、歯ブラシによるブラッシングには、歯茎へのマッサージ作用もある。歯茎のマッサージは歯肉炎の予防に飛躍的な効果があることが知られており、このマッサージ効果も目的の１つとされている。これまで、上述の清掃性等を改善するものとして、種々の形態の歯ブラシが提案されてきた
　【０００３】
　例えば、実公昭６１−１０４９５号公報には、テーパー状のブリッスルと非テーパー状のブリッスルを交互に植設し、テーパー状のブリッスルにより歯間部及び歯頸部の清掃を行い、非テーパー状のブリッスルにより歯・歯茎表面の清掃を行うようになした歯ブラシが記載されているが、この歯ブラシは歯茎へのマッサージ効果を全く考慮しておらず、清掃性とマッサージ効果とを両立し得ないものであった。
　【０００４】
　また、実公昭６３−３１６４０号公報には、先端に球状部が形成された非テーパー状のブリッスルを、先端部に段差を設けて植設し、マッサージ効果を向上させた歯ブラシが記載されているが、この歯ブラシは、非テーパー状のブリッスル先端に球状部が形成されているため先端部が撓み難く、歯垢除去，マッサージ効果の点において更に改善の余地のあるものであった。
　【０００５】
　更に、実開平５−１５８３４号公報には、値設されるブリッスルの全てかテーパー状に形成されている歯ブラシが記載されているが、この歯ブラシは、全体としての「こし」が弱く、ブリッスルが撓み過ぎるため、感触は良くても清掃性やマッサージ効果において問題があるものであった。
　【０００６】
　上述のような従来の歯ブラシにおいては、ブリッスルの耐久性については特別な考慮がされていなかった。従って、本発明の目的は、歯及ひ歯茎の表面の清掃性、歯と歯の間及び歯と歯茎の境目の清掃性、歯茎に対するマッサーシ性、並びにブリッスルの耐久性の点で優れた歯ブラシを提供することにある。
　【０００７】
　　【課題を解決するための手段】
　本発明者らは、種々検討した結果、２種類のブリッスルの形状、及びブリッスル束の植設される植毛穴の配設態様を工夫することにより、上記目的を達成できることを知見した。
　【０００８】
　請求項１に記載の発明は、上記知見に基づいてなされたもので、複数本のブリッスルからなるブリッスル束１が、植毛部２に縦横に形成された複数個の植毛穴２１，２１・・にそれぞれ植毛されてなる歯ブラシにおいて、上記ブリッスル束１は
、下
０．３３
０．４０
を含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、上記第１ブリッスルｌｌの先端は尖鋭に形成されており、上記第２ブリッスル１２の先端部に球状部１２ａが形成されており、
　ｒ（ｘ）＝ａ｛（Ｌ−ｘ）／Ｌ｝ｎ・・・・（Ｉ）
　ここで、ｒ（ｘ）は断面半径、ｘはブリッスル根本からの長さ、Ｌはブリッスル根本から先端まての長さ、ａはｘ＝０のときの断面半径〔＝ｒ（０）〕ｎは階乗係数を示す。
　【０００９】
　請求項２に記載の発明は、請求項１に記載の発明において、上記第１ブリッスル
１１の先端と上記第２ブリッスル１２の先端との段差ｄが、０．５ｍｍ〜４．０ｍｍである
　【００１０】
　請求項３に記載の発明は、請求項１又は２に記載の発明において、上記第１ブリッスル１１
及び上記第２ブリッスル１２の根本の外径が０．１５〜０．３０ｍｍであり、上記植毛穴２１の内径が、１．２ｍｍ〜２．４
　【００１１】
　請求項４に記載の発明は、請求項１〜３の何れかに記載の発明において、上記第
２ブリッスル１２が先端に向けてテーパー状に形成されてい
　【００１２】
　　
【発明の実施の形態】
　
以下、本発明の歯ブラシの一実施形態について図面を参照して説明する。
　【００１３】
　
図１は本実施形態の側面図、図２は本実施形態における植毛部を示す斜視図、図３（ａ）は本実施形態の第１及ひ第２ブリッスルの形態を示す側面図である。
　【００１４】
　
図
　【００１５】
　本実施形態の歯ブラシは、図１に示されるように、複数本のブリッスルからなるブリッスル束１が、植毛部２に縦横に形成された複数個の植毛穴２１，２１・・にそれぞれ植毛されており、この点に関しては従来の歯ブラシと何等変わるところはない。
　【００１６】
　而して、本実施形態の歯ブラシは、図２に示されるように、上記ブリッスル束１は
、下
を含み、該第１ブリッスル１１と該第２ブリッスル１２との合計本数は、上記ブリッスル束１を構成する上記ブリッスルの全体本数の５０％以上であり、上記ブリッスル束１それぞれが、上記第１ブリッスル１１を１０〜９０％含み且つ上記第２ブリッスル１２を９０〜１０％含んでおり、上記第１ブリッスル１１の先端は尖鋭に形成されており、上記第２ブリッスル１２の先端部に球状部１２ａか形成されており、
　ｒ（ｘ）＝ａ｛（Ｌ−ｘ）／Ｌ｝ｎ　（Ｉ）
　【００１７】
　ここで、ｒ（ｘ）はｘの関数であり、ブリッスルの円形横断面の断面半径を示している。ｘはブリッスル根本からの長さてある。また、Ｌはブリッスル根本から先端までの長さである。即ち、ｘは０からＬまでの範囲の値をとる。ａはｘ＝０のときの断面半径、即ち、ｒ（０）の値である。ｎは階乗係数であり、本発明の場合、０．２９〜０．５１の範囲の値とされる。
　【００１８】
　尚、図２においては、上記植毛部２の構成を分かり易く図示するために、上記第１ブリッスル１１及び上記第２ブリッスル１２がそれそれ１本ずつのみしか示されていないが、図１に示されるように、全ての上記植毛穴２１に複数本の該第１ブリッスル１１及び該第２ブリッスル１２が植設されることは言うまでもない。
　【００１９】
　本実施形態の歯ブラシについて更に詳しく説明すると、本実施形態の歯ブラシは、図１に示されるように、通常の歯ブラシと同様複数の上記ブリッスル束１，１・・の植設された上記植毛部２と、使用時に把持される把持部４と、これらの間を連結する首部３とからなっている。
　【００２０】
　上記第１ブリッスル１１は、上述したように、上記式（Ｉ）によって示される形態とされている。上記式（Ｉ）において、ｎが０に近づけば近づくほどブリッスルの形状は円柱形に近くなり、ｎが１に近づけば近づくほどブリッスルの形状は円錐形に近くなる。本発明の場合、ｎは０．２９〜０．５１の範囲の値をとり、上記第１ブリッスル１１は、流線型の先端形状を有している。
【００２１】
　上記第１ブリッスル１１が、階乗係数ｎが０．２９〜０．５１のときに上記式（Ｉ）によって示されるテーパー状の形態とされているため、本実施形態の歯ブラシは、歯間部・歯頸部に入り易く、堅過ぎずに感触が良く、歯茎のマッサージに適した「こし」を有し、優れた耐久性をも有するものとなる。即ち、これらの効果を全て満たすためには、階乗係数ｎが上述の範囲とされていなくてはならない。
　【００２２】
　階乗係数ｎが、０．２９未満であると、上記第１ブリッスル１１は円柱形に近くなり、「こし」か強くなり過ぎて感触が堅く、ブラッシング時に上記第２ブリッスル１２を歯や歯茎の表面に適切に接触させずに浮き上がり易くしてしまうため、該第２ブリッスル１２と協働し難く、清掃性やマッサージ性を悪化させてしまう。また、階乗係数ｎが、０．５１を超えると、上記第１ブリッスル１１は円錐形に近くなり、「こし」が弱くなり過ぎ、ブラッシング時に第１ブリッスル１１が撓みすぎて上記第２ブリッスル１２と歯や歯茎との間に入り込んでしまうため、該第２ブリッスル１２と協働し難く、清掃性やマッサージ性を悪化させてしまう。尚、階乗係数ｎは、０．３３〜０．４０の範囲の値の場合、耐久性がより向上するため更に好ましい。
　【００２３】
　また、上記ブリッスル束１それそれは、上記第１ブリッスル１１及び上記第２ブリッスル１２のみで構成されるのが好ましいか、該ブリッスル束１を構成するブリッスルの全体本数の内５０％未満であれば上記第１ブリッスル１１又は上記第２ブリッスル１２以外のブリッスルを含んでいても良い。上記ブリッスル束１それそれは、該ブリッスル束１を構成するブリッスルの全本数に対して、上記第１ブリッスル１１を１０％〜９０％、上記第１ブリッスル１１よりも先端が下方に位置されている上記第２ブリッスル１２を９０〜１０％含
んでおり
が好
　【００２４】
　上記第１ブリッスル１１は、図２及び図３（ａ）に示されるように、上記式（Ｉ）で表されるようなテーパー状に形成されている。テーパー状に形成するには、研磨等による機械的手段により行ったり、薬剤処理による化学的手段により行うことができる。本実施形態の上記第１ブリッスル１１は、その先端に球状部が形成されていな
い。
　【００２５】
　上記第１ブリッスル１１の高さｈは、９ｍｍ〜１３ｍｍが好ましく、９ｍｍ未満であると、ブリッスルが撓み難くなり過ぎてマッサージ性や清掃性を悪化させてしまい、１３ｍｍを超えると、ブラッシング時に邪魔になるだけでなく、「こし」が弱くなり過ぎてマッサージ性や清掃性を悪化させてしまう
。
　【００２６】
　
上記第２ブリッスル１２は、図２及び図３（ａ）に示されるように、その先端部に上記球状物１２ａか形成されており、また、先端に向けて細くなるようなテーパー状に形成されている。
　【００２７】
　
テ
、該
　【００２８】
　上記第２ブリッスル１２の先端に形成される上記球状部１２ａの横方向の最大外径は、０．１５ｍｍ〜０．３８ｍｍであることが好ましく、０．１５ｍｍ未満であると、十分なマッサージ効果を得られないと共に歯及び歯茎表面の汚れや歯垢を掻き出す効果が得られなくなり、また、０．３８ｍｍを超えると、製造が困難になるだけてなく上記ブリッスル束１が撓み難くなったりしてしまうため実用的でなくなってしまう。
　【００２９】
　上記第２ブリッスル１２先端に形成される上記球状部１２ａの形態は
、図
　【００３０】
　上記第１ブリッスル１１の先端と上記第２ブリッスル１２の先端との間には、段差ｄが形成されている。上記段差ｄは、０．５ｍｍ〜４．０ｍｍとされている。上記段差ｄが設けられることによって、図４に示されるように、ブラッシング時に、上記第１ブリッスル１１の先端が擁み易くなり、感触良く且つ歯間部・歯頸部に入って汚れや歯垢を掻き出すことができると共に、上記第２ブリッスル１２の上記球状部１２ａにより歯茎をマッサージすることができる。
　【００３１】
　上記段差ｄか０．５ｍｍ未満であると、上記第１ブリッスル１１の先端が撓まずに上記第２ブリッスル１２の上記球状部１２ａと同時に歯・歯茎表面に触れるために感触が向上せず、また、歯間部・歯頸部に入り難いので清掃性を向上させることができない。上記段差ｄが４．０ｍｍを超えると、上記第２ブリッスル１２が上記第１ブリッスル１１の先端に邪魔されてしまい、十分なマッサージ効果が得られず、また、「こし」の弱い該第１ブリッスル１１のみでブラッシングを行うことになるため清掃性を向上させることができない。
　【００３２】
　上記ブリッスル１１，１２の根本の外径（テーパー状でない部分の太さ）は、直径０．１５ｍｍ〜０．３０ｍｍとされるのが好ましく、０．１５ｍｍ未満であると、「こし」が弱くなり過ぎてマッサージ性や清掃性を悪化させてしまうだけでなく、切れ易く且つ摩耗が激しく耐久性に問題がある。また、０．３０ｍｍを超えると、「こし」が強くなり過ぎてマッサージ性や清掃性を悪化させてしまう。上記植毛穴２１の大きさと上記ブリッスル１１，１２の太さとの関係から、マッサージ性や清掃性を考慮すると１つの該植毛穴２１に、上記第１ブリッスル１１及び上記第２ブリッスル１２が合わせて９本〜２５本程度植設されるのが好ましい。
　【００３３】
　上記ブリッスル１１，１２は、ポリブチレンテレフタレート（ＰＢＴ）、ナイロン（６−１２、６−１０、６−６）、ポリプロピレン等により形成されている。上記ブリッスル１１，１２は、図２及び図３（ａ）に示されるように、一端部側に上記第１ブリッスル１１、他端部側に上記第２ブリッスル１２が形成された１本のブリッスルがそのほぼ中央で２つに折り曲げられ、図２に示されるように、この折り曲げられた部分が平線２２で保持されながら上記植毛穴２１に嵌入されることにより植設される。
　【００３４】
　尚、図２には、その構成を分かり易く示すために上記ブリッスル１１，１２が１本ずつしか示されていないが、該ブリッスル１１，１２か植設される際には複数本が束ねられて上記植毛穴２１に植設されることは言うまでもない。
　【００３５】
　上記植毛部２は、その中央部に凹部が形成された段状の形態を有している。そして、先端側の部位にはそれぞれ３個及び４個の上記植毛穴２１，２１・・が２列に形成されており、中央部には５個×３列の上記植毛穴２１，２１・・か形成されており、上記首部３側の部位にはそれそれ５個及び４個の上記植毛穴２１，２１・・が２列に形成されている。
　【００３６】
　上記植毛穴２１，２１・・の形成される間隔は、図１中Ｐ１で示される縦方向の間隔か１．２ｍｍ〜３．０ｍｍであることが好ましく、Ｐ２で示される横方向の間隔が０．７５ｍｍ〜１．５ｍｍであることが好ましい。上記間隔Ｐ１，Ｐ２が、それぞれ１．２ｍｍ，０．７５ｍｍ未満であると、隣接する上記ブリッスル束１，１同士か近くなり過ぎるために該ブリッスル束１，１が撓み難くなり、全体としての「こし」か強くなり過ぎてマッサージ性や清掃性を悪化させてしまう。また、上記間隔Ｐ１，Ｐ２が、それそれ３．０ｍｍ，１．５ｍｍを超えると、隣接する上記ブリッスル束１，１同士が遠くなり過ぎるために該ブリッスル束１，１が撓み易くなり、全体としての「こし」か弱くなり過ぎてマッサーシ性や清掃性を悪化させてしまう。
　【００３７】
　また、上記植毛穴２１の大きさは、植設される上記ブリッスル１１，１２の太さや硬さにもよるが、直径１．２ｍｍ〜２．４ｍｍとされるのが好ましく、１．２ｍｍ未満であると、１つの上記ブリッスル束１の「こし」が弱くなり過ぎてマッサージ性や清掃性を悪化させてしまい、また、２．４ｍｍを超えると、１つの上記ブリッスル束１の「こし」が強くなり過ぎてマッサージ性や清掃性を悪化させてしまう。
　【００３８】
　上記植毛部２上面における上記植毛穴２１，２１・・の占める面積比で考えるならば、該面積比は２０％〜３５％であることが好ましい。上記植毛部２上面における上記植毛穴２１，２１・・の占める面積比が、２０％未満であると、上記植毛部２上の上記ブリッスル束１，１が疎になり、全体としての「こし」が弱くなり過ぎてマッサージ性や清掃性を悪化させてしまい、また、３５％を超えると、上記植毛部２上の上記ブリッスル束１，１か密になり、全体としての「こし」が強くなり過ぎてマッサージ性や清掃性を悪化させてしまう。
　【００３９】
　上記植毛部２の中央部に形成される段差Ｄは、その上段に植設された上記ブリッスル束１，１・・の「こし」を、下段に植設された上記ブリッスル束１，１・・の「こし」よりも強くして、上段に植設された上記ブリッスル束１による清掃性を向上させるようになしてある。下段に植設された上記ブリッスル束１は、下段に植設された上記ブリッスル束１よりも「こし」か弱くされているため、歯ブラシ全体としての「こし」が強くなりすぎることはなく、マッサージ性や触感を悪化させてしまうことはない。
　【００４０】
　上記段差Ｄは、０．５ｍｍ〜３．０ｍｍであることが好ましく、０．５ｍｍ未満であると、上段に植設された上記ブリッスル束１と下段に植設された上記ブリッスル束１との間に「こし」の強さに差が生じなくなり、また、３．０ｍｍを越えると、上段に植設された上記ブリッスル束１と下段に植設された上記ブリッスル束１との間の「こし」の強さが大きく違いすぎて、マッサージ性や触感を悪化させることなく清掃性を向上させることができなくなってしまう。
　【００４１】
　上記第１ブリッスル１１は、上記植毛部２の先端側及び上記首部３側と該植毛部２の中央部とでその長さが変えられており、全ての該第１ブリッスル１１の先端がほぼ同じ位置となるようにされており、また、上記第２ブリッスル１２も、上記植毛部２の先端側及び上記首部３側と該植毛部２の中央部とでその長さが変えられており、全ての該第２ブリッスル１２の先端がほぼ同じ位置となるようにされている。
　【００４２】
　また、本実施形態の場合は、上述したように、上記第１ブリッスル１１及び上記第２ブリッスル１２が両端に形成されたブリッスルを２つに折り曲げたものを用いて上記ブリッスル束１を形成させているため、該ブリッスル束１の一方の側に上記第１ブリッスル１１が多く、他方の側に上記第２ブリッスルが多くなるようになされている。また、全ての上記ブリッスル束１において、歯ブラシの長手方向の軸線Ｌ
’
　【００４３】
　本実施形態の歯ブラシは上述の如く構成されており、本実施形態の歯ブラシによれば、上記第１ブリッスル１１が階乗係数ｎ＝０．２９〜０．５１のときに前記式（Ｉ）により示されるテーパー状の形態を有し、且つその先端が上記段差ｄを形成させて上記第２ブリッスル１２よりも突出された状態、とされているため、１本１本の「こし」を弱くさせることなく先端のみを撓み易くし、且つ上記第２ブリッスル１２よりも先に歯や歯茎に接触させ易くして、ブラッシングしたときの触感を良好なものとすると共に、その先端が歯間部・歯頸部に入り込み、歯の汚れや歯垢を効率よく除去することができる。また、上記第１ブリッスル１１の先端は、マッサージされ難い歯間部や歯頸部の歯茎をマッサージする効果をも有している。
　【００４４】
　階乗係数ｎが０．２９〜０．５１の範囲であることは、（１）上記第１ブリッスル１１が歯間部や歯頸部に入り易い形状である、（２）清掃性及びマッサージ性の双方の効果を両立させるために最適な「こし」を与える、（３）上記第１ブリッスル１１の耐久性をも向上させる、（４）触感が良好である、の全てを満たすために最適の範囲であるということである。
　【００４５】
　また、本実施形態の歯ブラシによれば、上記第２ブリッスル１２は、その先端が上記第１ブリッスル１１の先端よりも下方に位置されているため、先端の撓み易い上記第１ブリッスル１１と協働することにより、上述の効果に加えて、先端部により歯や歯茎表面の汚れや歯垢を掻き取ることができる。
　【００４６】
　即ち、本実施形態の歯ブラシは、歯ブラシ時における歯や歯茎に与える触感の点で優れ、また、歯や歯茎表面の清掃性だけでなく歯間部や歯頸部の清掃性にも優れ、更には、歯間部のマッサージし難い部位をも含めた歯茎のマッサージ効果に優れたものであり、これらの効果を全て兼ね備えたものである。
　【００４７】
　更に、本実施形態の歯ブラシの場合は、上記第２ブリッスル１２がその先端に上記球状部１２ａを有し且つテーパー状の形態に形成されているため、上述の効果に加えて、該球状部１２ａによる良好な歯茎のマッサーシ効果を発揮することがてきると共に、該第２ブリッスル１２の先端部のみをも撓み易くして、触感の点においてもより良好なものとすることができる。
　【００４８】
　本発明の歯ブラシは上記実施形態に制限されるものではなく、例えば、本実施形態においては、図３（ａ）に示されるようなブリッスルを用いて上記ブリッスル束１を構成したが、図３（ｂ）に示されるような第２ブリッスル１２がテーパー状に形成されていないブリッス
ル等
　【００４９】
　また、上記ブリッスル束１は、両端に上記第１ブリッスル１１が形成されたブリッスルと両端に上記第２ブリッスル１２が形成されたブリッスルとを、それぞれ２つに折り曲げたものを用いて形成されても良い。また、上記実施形態において、上記植毛部２は上記段差Ｄを有する段状の形態に形成されたが、該植毛部２の上面か平坦に形成されても良い。
　【００５０】
　更に、上記実施形態においては、図３（ａ）に示されるブリッスルを複数本用いて、１つの上記ブリッスル束１の一方の側に上記第１ブリッスル１１が位置し、他方の側に上記第２ブリッスル１２が位置するようになされたが、図３（ａ）に示されるブリッスルを用いて、一方の側と他方の側に上記第１ブリッスル１１と上記第２ブリッスル１２との本数が均等となるように配置されても良い。その他の点に関しても、本発明の趣旨を逸脱しない限り適宜変更可能である。
　【００５１】
　　【発明の効果】
　本発明の歯ブラシは、歯及び歯茎の表面の清掃性、歯と歯の聞及び歯と歯茎の境目の清掃性、歯茎に対するマッサージ性、並ひにブリッスルの耐久性の点で優れる。
【図面の簡単な説明】
　【図１】
本発明の歯ブラシの一失施形態を示す側面図である。
　【図２】
本発明の歯ブラシの一実施形態における植毛部を示す斜視図である。
　【図３】
本発明の歯ブラシにおける第１及び第２ブリッスルの種々の形態を示す側面図である。
　【図４】
本発明の歯ブラシの一実施形態におけるブラッシング時における第１及び第２ブリッスルを示す側面図である。
　【図５】
本発明の歯ブラシにおけるブリッスル先端に形成される球状部の種々の形態を示す側面図である。
　【図６】
本発明の歯ブラシにおける第２ブリッスルのテーパー状の種々の形態を示す側面図である。
　【符号の説明】
１　ブリッスル束
　１１　第１ブリッスル
　１２　第２ブリッスル
　１２ａ　球状部
２　植毛部
　２１　植毛穴
Ｐ１　縦方向の間隔
Ｐ２　横方向の間隔
【図面】
【図１】
【図２】
【図３】
【図４】
【図５】
【図６】